(57)【要約】【課題】コスト的に有利であり、システム内の機器に誤動作が発生する虞のない、エレベータの基板情報管理システムを提供すること。【解決手段】エレベータ運転開始の際の主電源投入時に、基板情報収集手段９は基板情報読出指令を出力する。乗場側副制御基板ＨＢ1〜ＨＢn及びかご側副制御基板ＫＢに搭載されている各基板情報読出手段２は、これにより各基板情報格納部１の基板情報を読み出し、基板情報収集手段９に送出する。差違部分判別手段１０は、この収集基板情報と基板情報保存部８の保存済み基板情報とを比較し、差違部分を判別する。最新基板情報書込手段１１は、この差違部分を含む最新基板情報を新たに基板情報保存部８に保存する。【選択図】図１
2008156091.tif 000002
【特許請求の範囲】
【請求項１】
エレベータかご及びエレベータ乗場に設置された制御装置内に取り付けられ、少なくとも基板の型式及び製造ロット番号を含む自己の基板情報を格納するための基板情報格納部、及びこの基板情報格納部に格納された基板情報を読み出す基板情報読出手段を有する複数の副制御基板と、
所定タイミング毎に前記副制御基板に対して基板情報読出指令を出力し、この指令に基づき前記副制御基板から読み出されて送られてきた基板情報を収集する基板情報収集手段、この収集した収集基板情報とそれ以前に既に保存されている保存済み基板情報とを比較して両者の間で情報内容に差違部分が有るか否かを判別する差違部分判別手段、及び差違部分が有る場合にはこの収集基板情報を保存済み基板情報に差し換えて新たに最新基板情報として保存する最新基板情報書込手段を含んで成る基板情報管理手段を有するエレベータ主制御装置と、
を備えたことを特徴とするエレベータの基板情報管理システム。
【請求項２】
前記基板情報管理手段は、前記最新基板情報をエレベータ監視センターのセンター側監視装置に通報する最新基板情報通報手段を有するものであり、
このセンター側監視装置はこの最新基板情報を自己のデータベースに保存する、
ことを特徴とする請求項１記載のエレベータの基板情報管理システム。
【請求項３】
前記最新基板情報書込手段は、前記保存済み基板情報に対して収集基板情報の前記差違部分のみを更新したものを前記最新基板情報として保存するものである、
ことを特徴とする請求項１記載のエレベータの基板情報管理システム。
【請求項４】
前記基板情報管理手段は、前記差違部分のデータ及び差違部分発生日時を履歴情報として保存するものである、
ことを特徴とする請求項１記載のエレベータの基板情報管理システム。
【請求項５】
前記所定タイミングは、エレベータ運転開始の際の主電源投入時、又は予め設置してある基板情報読出指令スイッチの操作時である、
ことを特徴とする請求項１記載のエレベータの基板情報管理システム。
【請求項６】
前記副制御基板は、メンテナンス用携帯端末装置からの基板情報書込指令に基づき前記格納部に対して基板情報の書込を行う基本情報書込手段を有するものである、
ことを特徴とする請求項１記載のエレベータの基板情報管理システム。
【請求項７】
前記センター側監視装置は、前記最新基板情報に基づき、前記副制御基板の点検予定日又は交換予定日を含む基板保守計画を作成する基板保守計画作成手段を有するものである、
ことを特徴とする請求項２記載のエレベータの基板情報管理システム。
【請求項８】
前記センター側監視装置は、前記作成した基板保守計画に基づき、新規基板の発注作業を行う新規基板発注手段を有するものである、
ことを特徴とする請求項７記載のエレベータの基板情報管理システム。
【発明の詳細な説明】
【技術分野】
【０００１】
本発明は、エレベータの基板情報管理システムに関するものである。
【背景技術】
【０００２】
近時の半導体回路の集積技術の進歩によって、電気機器の制御を司る電気回路の多くは１つの基板上に実装することが可能となっており、エレベータシステムにおいてもエレベータかご及び各階床のエレベータ乗場に設置された制御装置（本発明で主として対象とするこれらの制御装置は、かご呼び釦や乗場呼び釦等が設けられている伝送用制御装置である）の内部には、マイクロコンピュータやメモリなどの各種部品が搭載された基板（以下、本明細書では「副制御基板」と呼ぶことがある）が取り付けられている。
【０００３】
エレベータシステムの運行開始後ある程度の期間が経過すると基板上の各種部品の中には故障したり、経年変化による劣化が著しくなったものも現れるが、そのような場合はメンテナンス時に新しい基板と交換されることが多い。また、故障や経年変化による劣化が生じなくても、エレベータの仕様変更に伴って基板が交換されることもある。この基板には、少なくとも型式及び製造ロット番号を含む基板固有の製造情報（本明細書では「基板情報」と呼ぶ）が付されているが、基板の交換に際しては現在のエレベータ仕様に適合した型式及び製造ロット番号に係るものを用いなければならない。
【０００４】
しかし、長期間が経過するうちには、バージョンアップの繰り返しによりこれら型式及び製造ロット番号も大きく変わり、また、メンテナンスの際には全ての基板が一律に交換されるわけではないため新旧の基板が混在することになる。そのため、メンテナンス時の基板交換作業において、正しい仕様の基板を選択することは必ずしも容易ではない。特に、最近ではビルの高層化が急速に進み、階床数が非常に多くなっているため、正しい仕様の基板を選択することが一層難しくなっていることが多い。したがって、エレベータシステムを健全に運行するためには、基板情報を常に正確に管理することが非常に重要である。
【０００５】
基板情報を正確に管理するための方策の一つに、例えば特許文献１に開示されたものがある。これは、基板に無線ＩＣタグを取り付けておき、端末装置からの基板情報読出要求に基づき、無線ＩＣタグに書き込まれている基板情報を収集しようとするものである。この特許文献１によれば、端末装置の操作者の基板情報入力作業が不要となり、また、それ以前に行われていた基板情報のバーコード化を利用した技術に比べて、基板が視覚的に汚れていても基板情報の取得が可能であるというメリットを得ることができる。
【特許文献１】特開２００５−１１２４８０号公報
【発明の開示】
【発明が解決しようとする課題】
【０００６】
しかし、特許文献１に係る従来構成は、エレベータ制御とは本来関係のない無線システムを別個に追加したものであり、システム全体から見るとコスト的には不利なものであると言わざるを得ない。
【０００７】
また、無線システムを利用したものであるため、無線ＩＣタグが取り付けられる基板の配置状態如何によっては無線電波の出力レベルを強くしなければならないが、そうすると無線電波の影響により制御装置内の機器に誤動作が発生する虞も出てくる。
【０００８】
本発明は上記事情に鑑みてなされたものであり、コスト的に有利であり、システム内の機器に誤動作が発生する虞のない、エレベータの基板情報管理システムを提供することを目的としている。
【課題を解決するための手段】
【０００９】
上記課題を解決するための手段として、請求項１記載の発明は、エレベータかご及びエレベータ乗場に設置された制御装置内に取り付けられ、少なくとも基板の型式及び製造ロット番号を含む自己の基板情報を格納するための基板情報格納部、及びこの基板情報格納部に格納された基板情報を読み出す基板情報読出手段を有する複数の副制御基板と、所定タイミング毎に前記副制御基板に対して基板情報読出指令を出力し、この指令に基づき前記副制御基板から読み出されて送られてきた基板情報を収集する基板情報収集手段、この収集した収集基板情報とそれ以前に既に保存されている保存済み基板情報とを比較して両者の間で情報内容に差違部分が有るか否かを判別する差違部分判別手段、及び差違部分が有る場合にはこの収集基板情報を保存済み基板情報に差し換えて新たに最新基板情報として保存する最新基板情報書込手段を含んで成る基板情報管理手段を有するエレベータ主制御装置と、を備えたことを特徴とする。
【００１０】
請求項２記載の発明は、請求項１記載の発明において、前記基板情報管理手段は、前記最新基板情報をエレベータ監視センターのセンター側監視装置に通報する最新基板情報通報手段を有するものであり、このセンター側監視装置はこの最新基板情報を自己のデータベースに保存する、ことを特徴とする。
【００１１】
請求項３記載の発明は、請求項１記載の発明において、前記最新基板情報書込手段は、前記保存済み基板情報に対して収集基板情報の前記差違部分のみを更新したものを前記最新基板情報として保存するものである、ことを特徴とする。
【００１２】
請求項４記載の発明は、請求項１記載の発明において、前記基板情報管理手段は、前記差違部分のデータ及び差違部分発生日時を履歴情報として保存するものである、ことを特徴とする。
【００１３】
請求項５記載の発明は、請求項１記載の発明において、前記所定タイミングは、エレベータ運転開始の際の主電源投入時、又は予め設置してある基板情報読出指令スイッチの操作時である、ことを特徴とする。
【００１４】
請求項６記載の発明は、請求項１記載の発明において、前記副制御基板は、メンテナンス用携帯端末装置からの基板情報書込指令に基づき前記格納部に対して基板情報の書込を行う基本情報書込手段を有するものである、ことを特徴とする。
【００１５】
請求項７記載の発明は、請求項２記載の発明において、前記センター側監視装置は、前記最新基板情報に基づき、前記副制御基板の点検予定日又は交換予定日を含む基板保守計画を作成する基板保守計画作成手段を有するものである、ことを特徴とする。
【００１６】
請求項８記載の発明は、請求項７記載の発明において、前記センター側監視装置は、前記作成した基板保守計画に基づき、新規基板の発注作業を行う新規基板発注手段を有するものである、ことを特徴とする。
【発明の効果】
【００１７】
本発明によれば、副制御基板側に基板情報の格納部及び読出手段を設けると共に、エレベータ主制御装置側に基板情報管理手段を設け、この基板情報管理手段が各副制御基板から最新の基板情報を取得してこれを保存する構成としているので、コスト的に有利で且つシステム内の機器に誤動作が発生する虞のない、エレベータの基板情報管理システムを実現することができる。
【発明を実施するための最良の形態】
【００１８】
図１は、本発明の第１の実施形態に係るエレベータの基板情報管理システムの構成図である。１階からｎ階までの各階床の乗場には、乗場呼び釦３が設けられた乗場側制御装置ＨＣ1〜ＨＣnが設置されており、これらの各装置内には基板情報格納部１及び基板情報読出手段２が搭載された乗場側副制御基板ＨＢ1〜ＨＢnが取り付けられている。また、エレベータの乗りかご内には、かご呼び釦４が設けられたかご側制御装置ＫＣが設置されており、このかご側副制御基板ＫＢにも乗場側副制御基板ＨＢ1〜ＨＢnと同様に、基板情報格納部１及び基板情報読出手段２が搭載されている。
【００１９】
一方、エレベータ主制御装置６は基板情報管理手段７を有しており、この基板情報管理手段７には、基板情報保存部８、基板情報収集手段９、差違部分判別手段１０、及び最新基板情報書込手段１１が設けられている。そして、乗場側副制御基板ＨＢ1〜ＨＢn及びかご側副制御基板ＫＢに搭載された各基板情報読出手段２は、伝送路５（テールコード、及びその他のケーブル）を介して基板情報管理手段７に設けられた基板情報収集手段９に接続されている。
【００２０】
乗場側副制御基板ＨＢ1〜ＨＢn及びかご側副制御基板ＫＢに搭載された基板情報格納部１に格納される基板情報としては、基板製造時に既に付与されている基板の名称、型式、製造ロット番号や、エレベータシステムの設置以降における修理に関する履歴情報などがある。これらのうち、エレベータシステムを支障なく健全に運行するために必須不可欠な基板情報は、通常、現時点における（つまり最新の）基板の型式及び製造ロット番号である。これら型式及び製造ロット番号が不適切なものであると、甚だしい場合にはエレベータ乗りかごを動かすことができなくなることもある。また、乗場側副制御基板ＨＢ1〜ＨＢn及びかご側副制御基板ＫＢには、設定情報の付与が必要なスイッチ等の回路部品が搭載されることもあるが、これらの設定情報も基板情報格納部１に格納されることがある。
【００２１】
基板情報管理手段７の基板情報保存部８には、乗場側副制御基板ＨＢ1〜ＨＢn及びかご側副制御基板ＫＢの各基板情報格納部１に格納されている基板情報がエレベータシステムの設置当初から個別に保存されているが、エレベータシステムの運行開始以降もこの基板情報が変更された場合には、逐次その最新の基板情報が保存されるようになっている。
【００２２】
次に、図１の動作を図２のフローチャートを参照しつつ説明する。なお、以下の説明では、基板情報収集手段９が各基板情報読出手段２から収集したばかりの基板情報を「収集基板情報」と呼び、既に基板情報保存部８に保存されている基板情報を「保存済み基板情報」と呼ぶ。この保存済み基板情報は、当初の基板製造時点のものである場合、又は基板情報収集手段９の前回以前の収集により保存されたものである場合の双方が考えられる。
【００２３】
基板情報収集手段９は、エレベータ運転開始の際の主電源が投入されたか否かを検出できるようになっており、主電源投入を検出すると基板情報読出指令を、乗場側副制御基板ＨＢ1〜ＨＢn及びかご側副制御基板ＫＢの各基板情報読出手段２に対して伝送路５を介して出力する（ステップ１，２）。
【００２４】
各基板情報読出手段２は、この基板情報読出指令を受け取ると、基板情報格納部１から自己の基板情報を読み出し、これを基板情報収集手段９に対して順次送出する。基板情報収集手段９は、この各基板情報読出手段２から送られてくる基板情報を順次収集し（ステップ３）、これを収集基板情報として差違部分判別手段１０に出力する。
【００２５】
差違部分判別手段１０は、基板情報収集手段９から入力した各収集基板情報と、基板情報保存部８に保存されている保存済み基板情報とを比較し（ステップ４）、両者の間で情報内容に差違部分が有るか否かを判別する（ステップ５）。この判別結果が「ＹＥＳ」であれば、それは当初のエレベータシステムの設置時点から現在時点に至るまでの間に当該副制御基板が交換されたか、あるいは基板情報の一部についてデータが変更されていることを意味している。したがってこの場合、最新基板情報書込手段１１は、基板情報収集手段９が収集した収集基板情報を保存済み基板情報に差し換えて書込（上書き）を行い、新たに最新基板情報として基板情報保存部８に保存する（ステップ６）。一方、ステップ５での判別結果が「ＮＯ」である場合、最新基板情報書込手段１１は何も書込を行わない。
【００２６】
差違部分判別手段１０及び最新基板情報書込手段１１は、このような比較（ステップ４）、判別（ステップ５）、及び新たな保存（ステップ６）が、乗場側副制御基板ＨＢ1〜ＨＢn及びかご側副制御基板ＫＢの全てについて終了したか否かを判別する（ステップ７）。そして、全ての基板について未だ終了していなければステップ４に戻って同様の処理を繰り返し、終了した時点で例えば終了フラグを立てるようにする。その後に、エレベータ主制御装置６はエレベータの通常運転を開始する（ステップ８）。
【００２７】
このように、本実施形態の構成によれば、例えば毎朝、主電源が投入される度に、全ての副制御基板の基板情報についてエレベータ主制御装置６の基板情報管理手段７がチェックを行い、もし基板情報に変化が生じていれば直ちにこれを基板情報保存部８に保存し直すようにしている。したがって、基板情報保存部８には常に最新の基板情報が保存されることになるので、保守作業員は、メンテナンス時にはこの基板情報保存部８のデータをチェックすればよい。すなわち、本実施形態の構成により、エレベータシステムを健全に運行するための基板情報の正確な管理が担保されている。
【００２８】
そして、上記した図１の構成は、副制御基板側に基板情報格納部１及び基板情報読出手段２を設けると共に、エレベータ主制御装置６側に基板情報管理手段７を設けるだけの簡単な構成であるため、無線システムを利用した従来システムに比べてコスト的に有利なものとなっており、また、システム内の機器に誤動作を発生させる虞のないものとなっている。
【００２９】
なお、本発明では次のような形態も包含するものとする。
（１）ステップ６で最新基板情報書込手段１１が行う保存について、上記の説明では基板情報収集手段９が収集した収集基板情報をそっくりそのまま保存済み基板情報に差し換えることとしているが、保存済み基板情報に対して収集基板情報のうちの差違部分のみを更新するようにしてもよい。これによれば、書込時間を短縮することができる。
（２）最新基板情報書込手段１１がステップ６の保存を行うに際しては、上記の最新基板情報ばかりでなく、収集基板情報と保存済み基板情報との間の差違部分のデータ、及びこの差違部分が発生した日時を履歴情報として保存する構成としてもよい。保守作業員は、メンテナンス作業を行う際にこの履歴情報を有効に活用することができる。
（３）上記実施形態では、ステップ１の主電源投入のタイミングで基板情報収集手段９が基板情報読出指令を出力する構成としているが、この出力タイミングは特に限定されるわけではなく、例えば、このような基板情報読出指令を出力させるためのスイッチを予め設置しておき、エレベータの管理責任者等が毎朝のエレベータ運転開始の際に、このスイッチを手動で操作するような構成としてもよい。
【００３０】
図３は、本発明の第２の実施形態に係るエレベータの基板情報管理システムの構成図である。第１の実施形態では、各副制御基板がメンテナンスの際には基板ごとそっくり交換される場合のみを想定していたが、この第２の実施形態では、基板をそっくり交換する場合の他に、基板を交換することなく基板情報の一部を変更する場合にも対処できる構成としている。なお、図３では図面スペースの関係上、図１におけるエレベータ主制御装置６以外の構成要素については乗場側副制御基板ＨＢ1のみを代表して示し、他の構成要素の図示を省略している。
【００３１】
図３において、乗場側副制御基板ＨＢ1は、基板情報格納部１及び基板情報読出手段２の他に、基板情報書込手段１２を有している。そして、この基板情報書込手段１２に対しては、メンテナンス時に保守作業員が携帯するメンテナンス用携帯端末装置１３から基板情報書込指令が入力できるようになっている。
【００３２】
そして、エレベータ主制御装置６の基板情報管理手段７は、図１における構成と同様に、基板情報保存部８、基板情報収集手段９、差違部分判別手段１０、及び最新基板情報書込手段１１を有しているが、図３の構成ではその他に最新基板情報通報手段１４を有している。
【００３３】
また、エレベータ主制御装置６は伝送路１５（例えば、インターネット等のネットワーク）を介してエレベータ保守会社のセンター側監視装置１６に接続されている。このセンター側監視装置１６は、センター側基板情報管理手段１７及びデータベース１８を備えており、センター側基板情報管理手段１７は基板保守計画作成手段１９及び新規基板発注手段２０を有している。
【００３４】
次に、図３の動作につき説明する。保守作業員はメンテナンスの際に、基板を交換したわけではないが、基板情報格納部１のデータの一部を変更する必要が生じた場合には、自己が携帯するメンテナンス用携帯端末装置１３を基板情報書込手段１２に接続し、このメンテナンス用携帯端末装置１３に対して所定の操作を行う。これにより、基板情報書込手段１２は、現在、基板情報格納部１に格納されている基板情報のデータの一部を書き換える。
【００３５】
その後、第１の実施形態で既述したように、基板情報読出手段２は、主電源投入時の基板情報収集手段９からの基板情報読出指令に基づき、上記の書き換えられた基板情報を読み出し、これを基板情報収集手段９に返送する。差違部分判別手段１０は、基板情報収集手段９からの収集基板情報と基板情報保存部８に格納されている保存済み基板情報との間に差違部分が有ることを判別し、最新基板情報書込手段１１は、その差違部分に基づき基板情報保存部８に対して新たに最新基板情報の書込を行う。
【００３６】
そして、この第２の実施形態では、基板情報管理手段７に最新基板情報通報手段１４が追設されており、この最新基板情報通報手段１４が新たに書き込まれた最新基板情報を、伝送路１５を介してセンター側監視装置１６に通報する。センター側監視装置１６では、センター側基板情報管理手段１７が、この通報された最新基板情報をデータベース１８に保存する。
【００３７】
このように、第２の実施形態の構成によれば、乗場側副制御基板ＨＢ1〜ＨＢn及びかご側副制御基板ＫＢの中に、基板交換が行われたり、基板情報の一部が変更されたりしたものが生じた場合には、その最新基板情報が自動的にセンター側監視装置１６に通報され、データベース１８に保存されるようになっている。したがって、エレベータ保守会社の監視センターは、個々の副制御基板の基板情報を常に正確に管理することができ、エレベータシステムを健全に運行することができる。
【００３８】
また、第２の実施形態では、センター側基板情報管理手段１７が基板保守計画作成手段１９を有しており、この基板保守計画作成手段１９は、各副制御基板の最新基板情報に基づき、その基板の点検予定日又は交換予定日を含む基板保守計画を作成するようになっている。したがって、監視センター側ではエレベータシステムのメンテナンス管理を一層効率的且つ正確に行うことができる。
【００３９】
更に、センター側基板情報管理手段１７は、新規基板発注手段２０も有しており、この新規基板発注手段２０は、基板保守計画作成手段１９が作成した基板保守計画に基板の新規交換が含まれている場合には、所定の時期に新規基板を自動的に発注するようになっている。したがって、従来システムに比べて新規基板の発注忘れ等を防止することができ、基板保守計画の確実な履行に資することが期待できる。
【図面の簡単な説明】
【００４０】
【図１】本発明の第１の実施形態に係るエレベータの基板情報管理システムの構成図。
【図２】図１の動作を説明するためのフローチャート。
【図３】本発明の第２の実施形態に係るエレベータの基板情報管理システムの構成図。
【符号の説明】
【００４１】
ＨＣ1〜ＨＣn：乗場側制御装置
ＨＢ1〜ＨＢn：乗場側副制御基板
ＫＣ：かご側制御装置
ＫＢ：かご側副制御基板
１：基板情報格納部
２：基板情報読出手段
３：乗場呼び釦
４：かご呼び釦
５：伝送路
６：エレベータ主制御装置
７：基板情報管理手段
８：基板情報保存部
９基板情報収集手段
１０：差違部分判別手段
１１：最新基板情報書込手段
１２：基板情報書込手段
１３：メンテナンス用携帯端末装置
１４：最新基板情報通報手段
１５：伝送路
１６：センター側監視装置
１７：センター側基板情報管理手段
１８：データベース
１９：基板保守計画作成手段
２０：新規基板発注手段
【図１】
2008156091.tif 000003
【図２】
2008156091.tif 000004
【図３】
2008156091.tif 000005